Podtech/llm-jp-corpus-v4-ja_patent huggingface dataset:
(57)【要約】      （修正有）【課題】夜間において、車からの視認性を向上させた台車を提供する。【解決手段】台車１は、搬送対象物を載置する荷台２と、荷台の底面側に取り付けられた複数のキャスター３と、荷台の天面側に延出し使用者が把持するハンドル４とを備える。荷台は、矩形の天板と天板の各辺から垂下する側板とを備える。前後左右４つの側板の外表面である側周面２２には、反射材であるシール５が張り付けられている。【選択図】図１
0003199047.tif 000002
【実用新案登録請求の範囲】
【請求項１】
搬送対象物を載置する荷台の側周面に反射材を有することを特徴とする台車。
【請求項２】
前記反射材は、シールであることを特徴とする台車。
【考案の詳細な説明】
【技術分野】
【０００１】
本考案は、本発明は、搬送対象物を載置する荷台を有する台車に関する。
【背景技術】
【０００２】
従来、重い搬送対象物を搬送するために、搬送対象物を載置するための荷台と、荷台の底面に複数個取り付けられているキャスターと、荷台の天面に取り付けられているハンドルとを備える台車が知られている。
【０００３】
このような台車は、運送作業などにおいて、搬送対象物である荷物を車から届け先まで運ぶために使用される
【考案の概要】
【考案が解決しようとする課題】
【０００４】
車から台車への荷卸しは車道上で行われる場合がある。特に夜間は、車道を走行する車から台車の視認性が悪いため、車が台車に接触するなどの事故が発生する可能性があるという問題があった。
【０００５】
上記点より本考案は、夜間において、車からの視認性を向上させた台車を提供することを目的とする。
【課題を解決するための手段】
【０００６】
上記課題を解決するため、請求項１の台車は、搬送対象物を載置する荷台の側周面に反射材を有する。
【０００７】
請求項１の台車によれば、荷台の天面に搬送対象物を載せた状態でも、荷台の側周面は露出している。そのため、車両のライトをその側周面の反射材が反射させることができるので、車から台車の視認性を向上する。
【０００８】
請求項２の台車は、請求項１の台車において、前記反射材は、シールである。
【０００９】
請求項２の台車によれば、請求項１の台車と同様に作用する上に、反射材がシールであるので、台車の使用において反射材のシールが破損しても、容易に反射材のシールを張りなおすことができる。
【考案の効果】
【００１０】
請求項１から２のいずれかの考案によれば、夜間において、車からの視認性が向上するので、夜間の台車の使用の安全性が向上するという効果を実現することができる。
【図面の簡単な説明】
【００１１】
【図１】本考案の一実施形態の台車の斜視図である。
【考案を実施するための形態】
【００１２】
本考案の一実施形態である台車１について、以下説明する。
【００１３】
台車１は、図１に示すように、搬送対象物を載置する荷台２と、荷台２の底面側に取り付けられた複数のキャスター３と、荷台４の天面側に延出し使用者が把持するハンドル４とを備える。
【００１４】
荷台２は、矩形の天板と天板の各辺から垂下する側板とを備える。天板の外表面が荷台の天面２１であり、側板の外表面が荷台の側周面２２である。
【００１５】
荷台２の側周面２２には、反射材であるシール５が張り付けられている。シール５は、前後左右４つの側周面２２にそれぞれ貼り付けられている。
【００１６】
ハンドル４の下端は荷台２にねじで固定されるようになっている。ハンドル４は荷台２の天面２１に対して立設する。
【００１７】
上記実施形態では、反射材であるシール５は、前後左右４つの側周面２２にそれぞれ貼り付けられている場合について説明したが、これに限定されることなく、隣り合う側周面の間の４つの角部にそれぞれ貼り付けられていてもよい。反射材を角部に張ることによって、反射材からの反射光によって、荷台の大きさが視認しやすくなる。また、４つの側周面２２の全周にわたって反射材が取り付けられていてもよい。
【００１８】
上記実施形態では、反射材がシール５である場合について説明したが、これに限定されることなく、反射プレート等の別の反射材を側周面に有していてもよい。また、厚みのある反射材を取り付ける場合に、反射材が側周面から突出しないようにするために、側周面に窪んだ部分を設け、その窪んだ部分に反射材が収容された状態で取り付けられていてもよい。
【００１９】
上記実施形態では、ハンドル４は荷台２の天面２１に対して立設する場合について説明したが、これに限定されることなく、荷台の天面に沿って折畳み可能であってもよい。
【符号の説明】
【００２０】
１    台車
２    荷台
３    キャスター
４    ハンドル
５    反射材
２１  天面
２２  側周面
【図１】
0003199047.tif 000003
【手続補正書】
【提出日】平成27年6月5日(2015.6.5)
【手続補正１】
【補正対象書類名】実用新案登録請求の範囲
【補正対象項目名】全文
【補正方法】変更
【補正の内容】
【実用新案登録請求の範囲】
【請求項１】
搬送対象物を載置する荷台の側周面に反射材を有することを特徴とする台車。
【請求項２】
前記反射材は、シールであることを特徴とする請求項１に記載の台車。
(57)【要約】      （修正有）【課題】独立したオイルタンクを内蔵し、本体のオイルが切れた時にタンクを取り出してオイルを補充ができるオイルライターを提供する。【解決手段】独立したオイルタンク４を内蔵し、オイルタンクに金属製のワイヤー２をアーチ状に溶接して、その部分を摘み、容易に着脱可能にする。オイルタンクにはナットが溶接されていて、ナットには、ボルトが付いていて、ゴムのリングがナットとボルトの間に噛まされていることで、オイルタンクの気密性が保たれている事が好ましい。【選択図】図２
0003199032.tif 000002
【実用新案登録請求の範囲】
【請求項１】
独立したオイルタンクを内蔵し、本体のオイルが切れた時にタンクを取り出してオイルを補充ができる事を特徴とするオイルライター。
【請求項２】
オイルタンクに金属製のワイヤーをアーチ状に溶接して、その部分を摘み、容易に着脱可能にしている事を特徴とするオイルライター。
【請求項３】
タンクにボルトとナットを使用していて、ナットをタンクに溶接する。
ナットとボルトの間にゴムのリングを噛まして、オイルタンクの気密性を保つ。
【請求項４】
ライターの中にオイルタンク入れる為、カム（不用意に開かないように蓋の押さえの役目をするパーツ）を取り除き、金属部分を折り曲げて、綿を寄せて、タンクが収まるスペースを確保している。
蓋の開閉は、風除け用の金属部分（ＣＨＩＭＮＥＹ）をほんの少しだけ（コンマ数ミリ）外側に広げることで、金属部分と蓋との摩擦で、蓋の開閉を可能とした。
【請求項５】
オイルライターの蓋の開閉に使用しているカムを取り除き、上蓋の内側の中にある金具は邪魔なので、奥へ折り曲げるか、取り除く。
【請求項６】
オイルライターの底部にリング及びナット等を溶接し、ゴム紐を通して、首から吊るしペンダントとしても使え、ライターを探すことなく、火を付けられる事を特徴とするオイルライター。
普通のオイルライターに戻す時は、外側のケースを交換すればよい。
【請求項７】
ペンダントとして使う場合、蛍光塗料を塗ると夜道に対向車等にペンダントが反射して対向車両等が気付き易い。（交通事故防止）
【請求項８】
震災等の非常事態の時にペンダントとして身に付けていれば、灯りとして、又ロウソク等に火を付けられる。
【考案の詳細な説明】
【技術分野】
【０００１】ライターとオイルタンクは、別々にできる構造である。
オイルライターの蓋の開閉に使用しているカムを取り除き、上蓋の中にある金具を取り除いた。
風除け用の金属部分（ＣＨＩＭＮＥＹ）をほんの少しだけ外側に広げることで、上蓋と金属部分が擦れて蓋の開閉を可能とした。
【背景技術】
【０００２】従来のオイルライターを使用していると、肝心な時にオイルが切れて火が付けられない時がある。    補充用のオイル缶が手元に無い時は、この内蔵しているタンクを取り出して、ボルトを緩めてライター本体に差し込み、火を付けられる。
ライターの底部分にタンクの中のオイルが出やすいように薄い綿を敷く。
タンクのオイルはボルトを外しても、緩めても補充する事は可能である。
タンクは金属製の筒状の物とナットに溶接し、タンクの上部にワイヤーを丸く固定してから溶接した。
蓋の内側にあるカムの為の金属部分は邪魔なので、奥へ折り曲げるか、取り除いた。
【先行技術文献】
【０００３】
【特許文献】
【特許文献】特願２０１３−２０２５１５  （オイルライター・ペンダント）
【考案の概要】
【考案が解決しようとする課題】
【０００４】オイルタンクの気密性が課題である。
いざ使う時にオイルが無くなっていては、駄目である。
【課題を解決するための手段】金属製の筒状のものに溶接しているので、オイルを注入して漏れていないか確認する。
漏れている所が確認できれば、その箇所を溶接し直す。
タンク（オイルライター）を上下に振れば、チャポチャポと音がして、オイルがどれ位あるか大体分かる。
ボルトとナットの間に、ゴムのリングを噛まして、オイルの減少を防いだ。
【考案の効果】一般のオイルライター自体の火が付く時間は短くなるが、タンクが中にあることで、オイル切れの心配が無く、安心して火を付けられる。
震災等の非常事態の時にペンダントとして身に付けていれば、灯りとして、又ロウソク等に火を付けられる。
２週間使用したがタンク内のオイルは、殆んど減っていなかった。
【図面の簡単な説明】
【図１】ライター正面図
【図２】オイルタンク内蔵型ライター使用図
【図３】オイルタンク構造図
【図４】オイルライター・ペンダント使用図
【考案を実施するための形態】
【０００５】（縦）約６０ｍｍ、（横）約４０ｍｍ、（厚さ）約１２ｍｍ、（ゴム紐の長さ）約１０００ｍｍ
【実施例】
【０００６】私の場合、ライターの底部分に環を付けペンダントとしても使っているが、休憩時間にタバコを吸う時にオイルが切れた時など重宝している。
胸に有るので、直ぐに見つけられて火を付けられる。
【産業上の利用可能性】災害時等にペンダントとして身に付けていれば、灯りとして、またロウソク等に火を付けられる。
直ぐに火を付けられる。
いざという時に、タンクのオイルを使用して火が付けられる。
ペンダントなので、蛍光塗料を塗る事で、夜道等に歩いている時に、対向車両等が気付き易い。（交通事故防止）
【符号の説明】
【０００７】  １    オイルライター本体
２    ワイヤー
３    風除け用の金属部分（ＣＨＩＭＮＥＹ）
４    オイルタンク
５    ゴムのリング
６    ボルト
７    ナット溶接部
８    リングを溶接
９    ストッパー
１０    ゴム紐
【図１】
0003199032.tif 000003
【図２】
0003199032.tif 000004
【図３】
0003199032.tif 000005
【図４】
0003199032.tif 000006
【手続補正書】
【提出日】平成27年5月15日(2015.5.15)
【手続補正１】
【補正対象書類名】実用新案登録請求の範囲
【補正対象項目名】全文
【補正方法】変更
【補正の内容】
【実用新案登録請求の範囲】
【請求項１】
独立したオイルタンクを内蔵し、本体のオイルが切れた時にタンクを取り出してオイルを補充ができる事を特徴とするオイルライター。
【請求項２】
請求項１に記載のオイルライターにおいて、
前記オイルタンクに金属製のワイヤーをアーチ状に溶接して、
その部分を摘み、容易に着脱可能にしている事を特徴とするオイルライター。
【請求項３】
請求項１に記載のオイルライターにおいて、
前記オイルタンクにはナットが溶接されていて、
前記ナットには、ボルトが付いていて、
ゴムのリングが前記ナットと前記ボルトの間に噛まされていることで、
前記オイルタンクの気密性が保たれている事を特徴とするオイルライター。
(57)【要約】      （修正有）【課題】上下の下着を脱がないで、大便器を跨いで大便をする事ができる男性用上下一体化下着を提供する。【解決手段】男性用上下一体化下着本体１を正面から見て、上部のシャツ部２と、下部ステテコ部３を上下下着繋ぎ部８で合体し、又、上部左右合わせ目左４には、ホック凹部「大」５を設け、上部左右合わせ目右４−１には、ホック凸部「大」５−１を設け、ステテコ部３の左右合わせ目右４−１の裏側に、ソフトゴムと数個のホック凸部「小」６−１を設け、左右合わせ目「左」３−１の裏側にも、ソフトゴムを縫い付け、凹凸が合体する位置にホック凹部「小」６を設け、その中間は開放部３−３として、前から後ろまで完全に開放する。【選択図】図２
0003199031.tif 000002
【実用新案登録請求の範囲】
【請求項１】
男性用上下一体化下着本体（１）を正面から見て、上部のシャツ部（２）と、下部ステテ  コ部（３）を上下下着繋ぎ部（８）で合体し、又、上部左右合わせ目左（４）には、ホック凹部「大」（５）を設け、上部左右合わせ目右（４−１）には、ホック凸部「大」（５−１）を設け、ステテコ部（３）の左右合わせ目右（４−１）の裏側に、ソフトゴムと数個のホック凸部「小」（６−１）を設け、左右合わせ目「左」（３−１）の裏側にも、ソフトゴムを縫い付け、凹凸が合体する位置にホック凸部「小」（６）を設け、その中間は開放部（３−３）として、前から後ろまで完全に開放した男性用上下一体化下着。
【考案の詳細な説明】
【技術分野】
【０００１】
パンツを省略して、シャツとステテコを一体化した男性用上下一体化下着に関する。
【背景技術】
【０００２】
従来、男性の下着は、シャツ・パンツ・ステテコを下着として、長年使用して来た。
パンツを省略して、シャツとステテコを一体化した男性用上下一体化下着によって老齢化した社会において、便利に使用できる。
特許文献１  特開２０１１−０５２３５６号公報（男性用下着）
【先行技術文献】
【特許文献】
【０００３】
【特許文献１】特開２０１１−０５２３５６号公報
【考案の概要】
【考案が解決しようとする課題】
【０００４】
老人の多い社会において、体の自由がきかなくなってくる老人が多く、特に寒い冬季には、何枚も重ねて着込むことは寒さを防ぐ意味から当然のことである。
しかし、大便の時は下着を脱いで大便器を跨ぐことは大変不便なことであり、又洗濯をする場合も面倒がある。
上下の下着を脱がないで、大便器を跨いで大便をする事が大事なことであり、これらは解決しなければならない課題であり、これを解決するために考案したものである。
【課題を解決するための手段】
【０００５】
課題を解決するために本考案は以下の構成とした。
男性用上下一体化下着本体（１）を、正面から見て上部のシャツ部（２）、下部ステテコ部（３）を上下下着繋ぎ部（８）で合体し、上部の左右合わせ目左（４）には、ホック凹部「大」（５）を設け、上部の左右合わせ目右（４−１）の裏側には、ホック凸部「大」（５−１）を設けた。（図２）
【０００６】
下部のステテコ部（３）の左右合わせ目「左」（３−１）及び、左右合わせ目「右」（３−２）は、内側にソフトゴムを縫いつけた。
又、ステテコ部は、ステテコ開放部（３−３）として、大便器を跨いだ時は前から後ろまで完全に開放してあるためステテコ部を脱ぐ必要もなく用が足りる構造にした。（図２）
【考案の効果】
【０００７】
本考案は，以下の効果を有する。
１．下着を着るときも、脱ぐ時も、一枚だけなので簡単。
２．大便器を跨ぐ時は、下着を脱がなくてもよいので簡単。
３．洗濯もシャツ・ステテコ・パンツ分を、一枚だけで済むので便利。
【図面の簡単な説明】
【０００８】
【図１】男性用上下一体化下着正面図
【図２】男性用上下一体化下着の正面から見た内部説明図
【考案を実施するための形態】
【０００９】
以下本考案の実施形態について説明する。
課題を解決するために本考案は以下の構成とした。
本考案は、パンツを省略しステテコ・シャツを一体化して、老齢化社会の老人が使用して便利に生活できるように考えた構造である。
男性用上下一体化下着本体（１）を正面から見て、の上部のシャツ部（２）と下部ステテコ部（３）を上下下着繋ぎ部（８）で合体し、又、上部の左右合わせ目左（４）には、ホック凹部「大」（５）を設け、上部左右合わせ目右（４−１）の裏側には、ホック凸部「大」（５−１）を設けた。（図２）
【００１０】
下部のステテコ部（３）の左右合わせ目「右」（３−２）、左右合わせ目「左」（３−１）の裏側に、ソフトゴムを縫い付けた。
又、その左右中間は開放部（３−３）として、便器を跨いだ時は前から後ろまで完全に開放してあるため、ステテコ部を脱ぐ必要もなく用が足りる構造にした。
又、洋式便器の便座に座る時も、和式便器においても同様である。（図２）
【符号の説明】
【００１１】
１．    男性用上下一体化下着本体          
２．    シャツ部      
２−１  シャツ部開放部
３．    ステテコ部
３−１．下部合わせ目「左」
３−２．下部合わせ目「右」
３−３．ステテコ部開放部
４．    上部左右合わせ目「左」    
４−１．上部左右合わせ目「右」
５．    ホック凹部「大」  
５−１  ホック凸部「大」
６．    ホック凹部「小」    
６−１  ホック凸部「小」
７．    袖
８．    上下下着の繋ぎ部
９．    ソフトゴム
【図１】
0003199031.tif 000003
【図２】
0003199031.tif 000004
【手続補正書】
【提出日】平成27年5月20日(2015.5.20)
【手続補正１】
【補正対象書類名】実用新案登録請求の範囲
【補正対象項目名】全文
【補正方法】変更
【補正の内容】
【実用新案登録請求の範囲】
【請求項１】
男性用上下一体化下着本体（１）を正面から見て、上部のシャツ部（２）と、下部ステテコ部（３）を上下下着繋ぎ部（８）で合体し、又、上部左右合わせ目左（４）には、ホック凹部「大」（５）を設け、上部左右合わせ目右（４−１）には、ホック凸部「大」（５−１）を設け、ステテコ部（３）の左右合わせ目右（４−１）の裏側に、ソフトゴムと数個のホック凸部「小」（６−１）を設け、左右合わせ目「左」（３−１）の裏側にも、ソフトゴムを縫い付け、凹凸が合体する位置にホック凹部「小」（６）を設け、その中間は開放部（３−３）として、前から後ろまで完全に開放した男性用上下一体化下着。
(57)【要約】      （修正有）【課題】空気中の汚染物質（ＰＭ２．５、花粉、水に溶ける有機ガスなど）を簡単な方法で除去でき、更に汚染物質を捕集した水を水洗トイレに利用できる室内空気清浄器を提供する。【解決手段】エアーポンプ２のフィルター１を介して大まかなゴミを除去した外気を水槽３内に設置したバブリングコア４から当該外気を水中にバブリングさせ、外気中のＰＭ２．５、花粉や水溶性有機ガスを水に捕獲または溶解させる。浄化された空気は水槽上部に設けた排気口５から配管６を通してファン７により室内に送風される。上記水槽３の下部には配管９が接続されておりポンプ１０を介して水洗トイレのトイレタンクに接続している。水槽３内の外気をバブリングして汚れた水は水洗トイレの使用時に上記配管９から水をトイレタンク内に供給し、フロートセンサー１３にてトイレタンク内の水を一定に保つ。【選択図】図１
0003199035.tif 000002
【実用新案登録請求の範囲】
【請求項１】
エアーポンプにより外気を取り込み、槽内に設置してあるバブリングコアを介して槽内の水をバブリングさせることで外気中に含まれる汚染物質を除去し、浄化された外気は当該槽内からダクトを介して室内に送り込む構造からなり、汚染物質を含んだ水は当該槽内に接続された配管から水中ポンプにより水洗トイレのタンクに蓄えられ、トイレで使用した水量に対応する量を上水道から槽内に送り込む構造とする室内空気清浄装置。
【請求項２】
二酸化チタンなどの光触媒から成るプレートを槽内に設置、当該光触媒を効果的に作用させるために水槽内に外光取込み窓を設けたことを特徴とする請求項１記載の室内空気清浄装置。
【請求項３】
槽内のバブリング後の外気はファンを具備したヒーターを備えた配管にて室内に送り込む事を特徴とする請求項１記載の室内空気清浄装置。
【考案の詳細な説明】
【技術分野】
【０００１】  本考案は、汚染物質を含む外気に対して水をフィルターとして利用した空気清浄器であり、当該汚染物質を捕獲した水を水洗トイレに利用させる装置に関する。
【背景技術】
【０００２】  従来の水を利用したフィルター式空気清浄器は当該空気清浄器内に小型の水洗タンクが装備され、長時間の使用により減少した水を随時補給していた。
【考案の概要】
【考案が解決しようとする課題】
【０００３】  今までの水を使用したフィルター方式空気清浄器は、長時間の稼働により当該空気清浄器のタンク内の水が蒸発等により減少または消滅することで清浄器効果の低下が起こるため頻繁に水の供給を手動にて実施する構造であった。また、フィルター自体にも外気中のゴミ等により目詰まりを起こし、更にはカビのような悪臭を放つ場合もあり定期的な清掃作業が必要であった。
【課題を解決するための手段】
【０００４】  上記課題を解決するために、本考案は、槽内に蓄えた水に外気を送り込み、バブリングさせることにより外気中の汚染物質（ＰＭ２．５、花粉、水溶性有機ガスなど）を簡単に除去させる。また、当該汚染物質を含んだ槽内の水は、水洗トイレの使用により水洗用タンクの水位が下がると自動的に補給される構造であり、減少した槽内の水は上水道から補給されることにより絶えず一定水量を維持している。【０００５】  また、水によりバブリングされ清浄な空気は室内に送風する前にヒーターにて加温することで冬場でも暖房装置として使用が出来る。
【考案の効果】
【０００６】  本考案に係わる装置は、上述したように外気の汚染物質を捕獲でき室内に正常な空気を導入できると共に水の補給が自動となり、更には外気の汚染物質を捕集した水を水洗トイレ用に再利用できる。また、夏は冷風器としての使用も出来、冬は暖房・加湿器となる。
【図面の簡単な説明】
【０００７】
【図１】本考案の断面図である。
【考案を実施するための形態】
【０００８】  以下、考案を実施するための形態について説明する。
エアーポンプ（２）のフィルター（１）を介して大まかなゴミを除去した外気を水槽（３）内に設置したバブリングコア（４）から当該外気を水中にバブリングさせる。これにより外気中のＰＭ２．５、花粉や水溶性有機ガスを水に捕獲または溶解させる。浄化された空気は水槽上部に設けた排気口（５）から配管（６）を通してファン（７）により室内に送風される構造である。また、配管（６）にはヒーター（８）を備えることで冬場には暖房・加湿器としての効果をもたらす。
【０００９】  上記水槽（３）の下部には配管（９）が接続されておりポンプ（１０）を介して水洗トイレ（１１）のトイレタンク（１２）に接続している。水槽（３）内の外気をバブリングして汚れた水は水洗トイレの使用時に上記配管（９）から水をトイレタンク（１２）内に供給し、フロートセンサー（１３）にてトイレタンク内の水を一定に保つことができる。
【００１０】  水洗トイレに使用した水槽（３）の水は、上水道にて補給され水槽内のフロートセンサー（１４）と上水道に設置した電磁弁（１５）により水位を一定に保つ構造としている。
【００１１】  長期使用による水槽内の汚れなど光触媒を有するプレートなどを水槽（３）内に設置し、更に水槽上部に明かり取りの窓（１６）を設けることにより水槽（３）内の水質を維持する。
【符号の説明】
【００１２】  １  フィルター
２  エアーポンプ
３  水槽
４  バブリングコア
５  排気口
６  配管
７  ファン
８  ヒーター
９  配管
１０  ポンプ
１１  水洗トイレ
１２  トイレタンク
１３  フロートセンサー
１４  フロートセンサー
１５  電磁弁
１６  明かり取り窓
【図１】
0003199035.tif 000003
(57)【要約】      （修正有）【課題】小便器の前面床面に小便のたれによる汚れがなくなり清潔性が維持されると共に便器およびその周辺の清掃作業が極めて簡単になる男子用小便器を提供する。【解決手段】排尿を一時的に受けるカップ（排尿受けカップ）１と、そのカップから捨てられる尿を受け下水道へ繋げる盤状の容器（排尿盤）２で構成される。【選択図】図２
0003199462.tif 000002
【実用新案登録請求の範囲】
【請求項１】
排尿受けカップと排尿盤を分離し使用する小便器
【考案の詳細な説明】
【技術分野】
【０００１】  本考案は、男子用小便器に関するものである。
【背景技術】
【０００２】  本考案は、水洗便所システムに関するものである。【０００３】  本考案には、排尿を受ける道具がある。従来、排尿を受ける道具として尿瓶があるが、従来型尿瓶は、寝たままの状態で使用することを主眼としたタイプであり、本考案において使用するものと異なる。本考案で使用するものは、立ち姿で使用することを主眼としたものであり、排尿盤と組み合わされて使用されるカップ状のものである。
【考案の概要】
【考案が解決しようとする課題】
【０００４】  男子用小便器の使用については、便器前面床面の汚れ、それに伴う清掃作業などについて、古くから問題指摘され、小便器の形状の改善、利用者の利用マナー問題などについて注意喚起されてきたが、現在まで根本的な解決に至っていない。
【課題を解決するための手段】
【０００５】  本考案は、男子が小便をするにあたって、備え付けの排尿カップを持ちその中に排尿し、その後排尿盤の排水口へ流し捨て処理するというものである。
使用した排尿カップは水道水ですすいだ後、排尿盤付帯の棚の戻すことになる。
【考案の効果】
【０００６】  本考案により以下の効果がある。
１  従来タイプの小便器に見られるような小便器の前面床面に小便のたれによる汚れがなくなり清潔性が維持されると共に便器およびその周辺の清掃作業が極めて簡単になる。
２  従来タイプの小便器に比し洗浄用の水道水が節約になる。
３  カップ型の容器に排尿すればよいことから、歩行困難者の排尿行為が楽になる。
【図面の簡単な説明】
【０００７】
【図１】  排尿カップ
【図２】  排尿盤の斜視図
【図３】  排尿盤の正面図
【図４】  排尿盤の平面図
【考案を実施するための形態】
【０００８】  排尿は容器の中へ行うので排尿盤の高さは腰高のレベルでよい。
水道水は、排尿カップのすすぎと排尿盤の清掃のために利用するものである。
【実施例】
【０００９】  利用に当たっては、棚に置かれている排尿カップをペニス前面に構えカップ内に排尿する。排尿がおわったら排尿カップから尿を排尿盤の排水口に流し捨てる。【００１０】  カップ容器に排尿するのであるから、必ずしも排尿盤の傍で排尿する必要はなく、歩行困難者は別所にて排尿を行い、他者に排尿カップの尿を処理してもらうことも可能である。
【産業上の利用可能性】
【００１１】  この排尿容器分離型小便器は、個人用住宅に設置するに適しているばかりではなく事務所等の一般の建築物、学校、その他の共同施設、公衆便所等にも設置利用可能なものである。【００１２】  個人用住宅の通常の洋式便器が置かれている便所の一角に本機器を設置すれば個人用住宅の便所の効率性を高めることができる。
【符号の説明】
【００１３】１  排尿カップ
２  排尿盤
３  排尿盤の排水口
４  排尿盤付帯の棚
【図１】
0003199462.tif 000003
【図２】
0003199462.tif 000004
【図３】
0003199462.tif 000005
【図４】
0003199462.tif 000006
【手続補正書】
【提出日】平成27年6月3日(2015.6.3)
【手続補正１】
【補正対象書類名】実用新案登録請求の範囲
【補正対象項目名】全文
【補正方法】変更
【補正の内容】
【実用新案登録請求の範囲】
【請求項１】
排尿を一時的に受けるカップ（排尿受けカップ）と、そのカップから捨てられる尿を受け下水道へ繋げる盤状の容器（排尿盤）で構成されるもの。
(57)【要約】      （修正有）【課題】粘着力を有し、端から剥がしやすい、両縁無接着ラベルを提供する。【解決手段】基盤原紙と接着部４で構成されるラベルの両端２、３に糊が付着していない非接着面を設けることを特徴とする。【選択図】図２
0003199472.tif 000002
【実用新案登録請求の範囲】
【請求項１】
基盤原紙と接着剤で構成されるラベルの両端に非接着面を設けることを特徴とする両縁無接着ラベル。
【考案の詳細な説明】
【考案の詳細な説明】
【考案の属する分野】
【０００１】    本考案は、ラベル両端に非接着面を設けることでラベルを剥がしやすくする両縁無接着ラベルに関するものである。
【背景技術】
【０００２】    従来、ラベルは接着剤がラベル裏全体に付着しており、一度貼ってしまうと剥がしづらかった。ラベルシールがきれいに剥がれないと、被着物の剥がし残しが汚くなり、再利用する被着物においては、次に貼るラベルの粘着が弱くなったり、水分が残ったりと弊害があった。はがしやすいラベルや、付箋が存在するが、水分や摩擦など耐久性には適切ではなかった。
【考案の開示】
【考案が解決しようとする課題】
【０００３】    ラベルは粘着力が強いと外したい時に剥がしづらく、粘着力が弱いと水分など外部要因で剥がれやすい。
使用中は剥がれる心配がなく密着し、被着物の変形や水分でよれたり文字が見づらくなることがなく、使用後は剥がしやすく、また剥がし残しが汚くならないものが今のところ存在しない。
本考案は、以上のような欠点をなくすためになされたものである。
【問題を解決するための手段】
【０００４】    本考案は、ラベルの両端（２）、（３）を糊付けしないラベルを提供することにより、上記課題を解決したものである（図２）。
【考案の効果】
【０００５】    本考案によれば、糊付けしない縁を設けることで、粘着力の強い糊を使用しても、剥がしにくい角がつまめ、端のどちらかをつまんで剥がせば容易に剥がれる。
【図面の簡単な説明】
【０００６】
【図１】本考案の平面図である。
【図２】本考案の底面図である。
【図３】本考案の断面図である。
【考案を実施するための最良の形態】
【０００７】    以下、本考案を実施するための形態について図１から図３に基づいて説明する。
図１の平面図は、本考案の一案の形であり、その平面を示している。一枚の基盤原紙（１）である。原紙の表面は、水で容易にふやけることがなく、記入がしやすく滲みにくい紙質が好ましい。裏面の粘着性が確保できるよう紙質が考慮される。【０００８】    図２の底面図は、左縁（２）右縁（３）接着部（４）によって構成されている。両縁（２）、（３）は糊が付着していない。接着部はビニールなど変形するものにも密着し、強い粘着力をもつことによって被着物が扱いやすくなる。例えばビニール袋や容器に貼付し、日付や中身を記入して冷蔵庫または冷凍庫に入れた場合、保存中は移動や摩擦、水分の付着、乾燥等がありうる。このような条件下であっても、本考案ラベルが強い粘着性と耐性をもつラベルであることを特徴とする。【０００９】    両縁は、指でつまめる大きさが確保されている。接着物全般は剥がそうとする角そのものが被着物と密着して剥がれにくく、古くなるほど剥がれにくくなる。本考案は、両端を非接着部として浮かせることで剥がし始めが確保できる。縁が接着部とバランスよい大きさで存在し、接着部を端から剥がし、接着部全体を剥がしきることができる強度と大きさ、幅を有する。非接着部が大きすぎると摩擦で折れたり切れる可能性があることを考慮する。この構成による本考案のラベルの形状は、角丸の四角形であることを問わない。【００１０】    図３の断面図は、基盤原紙に接着部（４）があり、その左縁（２）右縁（３）に非接着部がある。両縁は接着剤を有しないため、被着物から離れている。縁は厚く大きいほどつまみやすいため、縁を厚く加工する、全面接着部のラベルの縁を折り込み非接着部を作る等、つまみやすい工夫や加工も一案である。【００１１】    基盤原紙は、表面からは、裏面の接着部と非接着部の区別がつかない。従来の全面接着ラベルと区別をするため、また、表面から両縁無接着ラベルを見分けることができるように、両縁に色や柄、形状の変化、線引き、縁の部分を明らかに厚くする、別の素材を貼る等、明確に分けることも一案である。これは、非接着部が存在することで不具合が起こることを避ける区別になる。
【符号の説明】
【００１２】    １  基盤原紙
２  左縁
３  右縁
４  接着部
【図１】
0003199472.tif 000003
【図２】
0003199472.tif 000004
【図３】
0003199472.tif 000005
(57)【要約】      （修正有）【課題】ダイヤフラム式往復動定量ポンプにおいて、固形物が混入する廃油等を扱う場合、固形物が弁座孔を閉塞したり、スプリングに絡むことを防止し、安定した流量調整が可能となる往復動定量ポンプの弁構造を提供する。【解決手段】燃料１４を吸入する吸入側弁座２と吸入側弁ボール３と吸入側弁抑制錘７から構成される吸入弁Ｎと、燃料１４を吐出する吐出側弁座５と吐出側弁ボール４と吐出側弁抑制錘６から構成される吐出弁Ｓとを備えることを特徴とする。また、弁座の孔径を従来の数倍に拡大するとともに弁抑制錘を用いることで、微細な固形物が混入する廃食用油でも弁座の孔を塞ぐことなく通過する構造とした。【選択図】図１
0003199474.tif 000002
【実用新案登録請求の範囲】
【請求項１】
燃料１４を吸入する吸入側弁座２と吸入側弁ボール３と吸入側弁抑制錘７から構成される吸入弁Ｎと、燃料１４を吐出する吐出側弁座５と吐出側弁ボール４と吐出側弁抑制錘６から構成される吐出弁Ｓとを備えることを特徴とする往復動定量ポンプの弁構造。
【請求項２】
前記吸入側弁座２および前記吐出側弁座５の孔径は、燃料輸送用配管１２、１３の内径と同程度の大きさとし、前記吸入側弁抑制錘７は、前記吸入側弁ボール３の受ける力がダイヤフラム戻しスプリング９の反発力より小さくなるような重量の錘とし、かつ、前記吐出側弁抑制錘６は、前記吐出側弁ボール４の受ける力がモーター駆動カム１１の力よりも小さくなるような重量の錘とする、請求項１に記載の往復動定量ポンプの弁構造。
【考案の詳細な説明】
【技術分野】
【０００１】  本考案は、ポンプ室内に吐出弁と吸入弁を配置し、駆動カムによってダイヤフラムを作動させることで定量供給できる往復動定量ポンプの弁構造に関する。
【背景技術】
【０００２】  従来、この種の定量ポンプは、高精度での定量供給を可能にするため、弁座の孔径を狭めたり、吐出弁、吸入弁をそれぞれ複数配置することでポンプ室通路の通水抵抗を増大させる構造になっている。（特許文献１参照）【０００３】  このため、微細な固形物が多く混入する廃食用油などを流す場合、固形物が弁座の孔を塞いでポンプ機能が停止する事態になる。とりわけ低温時には液体粘度が上昇するため、その発生率は高い。
【先行技術文献】
【特許文献】
【０００４】
【特許文献１】  特許第２８４８８０７号広報
【特許文献２】  実開昭６２−８３８１号広報
【考案の概要】
【考案が解決しようとする課題】
【０００５】  本考案では、ストーブやボイラーに用いる燃料供給の往復動定量ポンプを対象としており、燃料には微細な固形物が混入する廃食用油を想定している。【０００６】  このため、ダイヤフラム式往復動定量ポンプとしての機能を満たすためには、微細な固形物が混入する廃食用油であっても、弁座の孔等の通路を固形物が閉塞することなく通過できる弁構造を備える必要がある。
【課題を解決するための手段】
【０００７】  従来２〜３ｍｍ程度以下であった吸入弁と吐出弁の弁座孔径を、本考案では、吸入弁と吐出弁に接続される燃料輸送用配管の内径と同程度の７ｍｍ〜８ｍｍに広げることで、微細な固形物が混入する廃食用油でも弁座の孔を塞ぐことなく通過する構造とした。【０００８】  しかし、弁座の孔径を拡大すると、孔から吐出する流体の慣性力が増加するため、弁ボールの動きが緩慢になり、ダイヤフラム式往復動定量ポンプとしての安定した流量調整が困難になる。そこでこの慣性力を抑える手段として、スプリングによる抑制が考えられるが（特許文献２参照）、スプリングに固形物が絡みつくことが懸念されるため、本考案では、スプリングの代用として、吸入弁、吐出弁とも弁ボール直上に弁ボール抑制錘を配置する構造とした。【０００９】  また、前記弁ボール抑制錘は、吸入弁においてはダイヤフラム戻しスプリングの反発力より小さな力が弁ボールに作用する重量の錘を、吐出弁においては駆動ダイヤフラムカムから受ける力よりも小さな力が弁ボールに作用する重量の錘をそれぞれ選ぶことで、ダイヤフラム式往復動定量ポンプとしての安定した流量調整が可能になる。
【図面の簡単な説明】
【００１０】
【図１】本考案の定量ポンプ断面図である。
【考案を実施するための形態】
【００１１】  本実施形態に係るポンプは、図１に示すように、燃料１４を吸入し且つ吐出するポンプ室１と、ポンプ室１を駆動するダイヤフラム８とダイヤフラム戻しスプリング９とダイヤフラム連結プレート１０とモーター駆動カム１１などから構成される駆動部を備える。
【００１２】  ポンプ室１は、燃料１４を吸入する吸入側弁座２と吸入側弁ボール３と吸入側弁抑制錘７から構成される吸入弁Ｎと、燃料１４を吐出する吐出側弁座５と吐出側弁ボール４と吐出側弁抑制錘６から構成される吐出弁Ｓとを備える。
【００１３】  吸入側弁座２および吐出側弁座５の孔径は、燃料輸送用配管１２、１３の内径と同程度の７ｍｍ〜８ｍｍの大きさとし、吸入側弁抑制錘７は、吸入側弁ボール３の受ける力がダイヤフラム戻しスプリング９の反発力より小さくなるような重量の錘とし、かつ、吐出側弁抑制錘６は、吐出側弁ボール４の受ける力がモーター駆動カム１１の力よりも小さくなるような重量の錘とする。
【００１４】  上記で構成されたポンプ弁構造により、微細な固形物が混入する廃食用油であっても、弁座孔や弁抑制錘周囲の燃料通路を固形物が閉塞することなく通過できため、ダイヤフラム式往復動定量ポンプとしての安定した流量調整機能が可能になる。
【符号の説明】
【００１５】１  ポンプ室
２  吸入側弁座
３  吸入側弁ボール
４  吐出側弁ボール
５  吐出側弁座
６  吐出側弁抑制錘
７  吸入側弁抑制錘
８  ダイヤフラム
９  ダイヤフラム戻しスプリング
１０  ダイヤフラム連結プレート
１１  モーター駆動カム
１２  吐出側配管
１３  吸入側配管
１４  燃料
Ｎ  吸入弁
Ｓ  吐出弁
【図１】
0003199474.tif 000003
(57)【要約】      （修正有）【課題】モズクのフコイダンが、胃腸を丈夫にして免疫力を高める効果があり、このモズクを粒剤やカプセル等に加工したモズクの加工食材を提供する。【解決手段】モズクに各種の食材を混合して粉末や液体に加工する。またモズクに酵母菌や乳酸菌と糖分を加えて醗酵させ、粒剤やカプセル等に加工して各種の容器に充填すると、消費者は免疫力を高め抗菌作用のあるフコイダンを摂取する事が容易になる。【選択図】図３
0003199478.tif 000002
【実用新案登録請求の範囲】
【請求項１】
モズクに各種の食材を加えて粉末や液体に加工後粒剤やカプセル等に加工したモズクの加工食材
【請求項２】
モズクに各種の食材を加えて粉末や液体等に加工後酵母菌や乳酸菌等を加え醗酵させ粒剤やカプセル等に加工したモズクの加工食材。
【考案の詳細な説明】
【技術分野】
【０００１】  本考案はモズクを各種の食材と混合して粒剤等に加工する考案である。
【背景技術】
【０００２】  海藻類のモズクの成分には、食物繊維の他にビタミン．ミネラル，カルシウム．鉄分．ヨウ素等を含有している。【０００３】  モズクの食物繊維の成分中には、抗菌作用のあるフコイダンを含有しているが、モズクに含有するフコイダンは、他の海藻の昆布や若布より５〜６倍も多く含有している。【０００４】  モズクの粉末に含有しているフコイダンの含有量を、財団法人日本食品分析センターに分析を依頼したところ、粉末１００グラム中フコイダンの成分に含有しているフコースが、２４．２グラム含有していると分析された。【０００５】  モズクの食物繊維に含有しているフコイダンは、大学の研究機関によると胃や腸を丈夫にして免疫力を高める作用や、抗菌作用及び除菌作用がある事が発表されている。【０００６】  ２０１０年６月、国立大学法人富山大学と株式会社理研ビタミンとの共同研究で、昆布のめかぶに含有しているフコイダンが、鳥インフルエンザの予防に効果がある事をマウスの実験で証明し、世界保健機関（ＷＨＯ）に発表している。【０００７】モズクを他の食材と混合後、粉末や液体に加工して粒剤やカプセル等に加工する。更にモズクを他の食材と混合後、酵母菌や乳酸菌等で醗酵し粒剤やカプセル等に加工すると、消費者はモズクの食物繊維に含有するフコイダンを食材として摂取するようになる。【０００８】  考案者は、モズクを他の食材と混合し、粒剤やカプセル等に加工して消費者に提供すると、粒剤等に含有しているモズクのフコイダンが、胃腸を丈夫にして免疫力を高める効果があり、このモズクを粒剤やカプセル等に加工して消費者に提供する事を考案した。
【先行技術文献】
【特許文献】
【０００８】
【特許文献１】平成１７年１１月７日  特許第３７３５８３９号公報  乾燥モズクの製造方法  （平成２０年１１月特許失効）
【特許文献２】平成２７年３月２５日  実用新案特許第３１９６９８５号公報  醗酵モズクと醗酵飼料
【非特許文献】
【０００９】
【非特許文献１】財団法人日本食品分析センター分析試験成績書、平成１４年１２月２０日、第４０２１２０１１７−００１
【非特許文献２】一般財団法人沖縄県環境科学分析センター分析試験成績書  平成１７年６月２１日第２００５‐Ｂ００９２１−０１
【非特許文献２】一般財団法人沖縄県環境科学分析センター分析試験成績書  平成２５年４月１０日第２０１２‐Ｂ０３５１９−０２
【考案の概要】
【考案が解決しようとする課題】
【００１０】  海藻のモズクはこれまで酢の物料理に使用するだけの食材であった。このモズクを多くの食材に利用して普及する為に、モズクに含有しているフコイダンをいかに利用するかが課題であった。
【課題を解決する手段】
【００１１】  モズクの粉末１００グラム中にフコイダンが６０〜７０グラム含有している。モズクのフコイダンには抗菌作用や除菌作用があり、胃や腸を丈夫にすると共に免疫力を高める作用がある。このフコイダンを消費者が飲みやすい錠剤やカプセル等に加工する。
【００１２】モズクを他の食材を混合後粉末や液体に加工し、または粉末や液体に酵母菌や乳酸．糖分を加えて醗酵させると、モズクの食物繊維に含有する高分子のフコイダンが、低分子のフコイダンに分解される。このモズクを各種の粒剤に加工しまたはカプセル等に充填する。
【考案の効果】
【００１３】  モズクの食物繊維には抗菌作用のあるフコイダンを豊富に含有しているが、モズクのフコイダンは胃や腸の腫痒や病原菌を排除する作用が有る。更にモズクに酵母菌や乳酸菌に糖分を加えて醗酵させ、各種の粒剤やカプセル等に加工すると、消費者はモズクを食べる事によって免疫力を高め、病気を予防する効果がある。
【００１４】
【図面の簡単な説明】
【００１５】
【図１】図１は、モズクを粉末や液体に加工した図面代用写真である。（実施例１）
【図２】図２は、他の食材と混合したモズクを粉末や液体に加工後、酵母菌や乳酸菌に糖分を加えて醗酵した図面代用写真である。（実施例２）
【図３】図３は、醗酵したモズクの粉末や液体を、粒剤やカプセル等に充填する図面代用写真である。（実施例３）
【考案を実施する為の形態】
【００１６】海藻のモズクを他の食材を混合して粉末や液体に加工後、酵母菌や乳酸菌に糖分を加え醗酵させ、栄養価を高めた食材に加工する。このモズクを粒剤やカプセル等に充填する。
【実施例１】
【００１７】  図１は、モズクを他の食材と混合した粉末や液体に加工する。【００１８】図２は、モズクを他の食材と混合後、酵母菌や乳酸菌を加えて醗酵させる。【００１９】図３は、他の食材と混合したモズクに酵母菌や乳酸菌と糖分を加えて醗酵させ、粒剤やカプセル等に加工後、各種の容器に充填する。【００２０】
【産業上の利用可能性】
【００２１】海藻のモズクには各種の有効成分を含有しているが、モズクの食物繊維には抗菌作用のあるフコイダンを多量に含有している。これまでモズクは単に酢の物料理の食材として利用されるだけであった。このモズクに他の食材を加えて混合した粉末や液体に、酵母菌や乳酸菌と糖分を加えて発酵させると、栄養価が高まった粉末や液体に加工する。【００２２】海藻のモズクの粉末や液体を酵母菌や乳酸菌に糖分を加えて醗酵させ、このモズクを粒剤やカプセル等に加工すると、消費者はフコイダンを含有したモズクを摂取する事が容易になり、病気を予防する事が可能になる。
【符号の説明】
【００２２】１  モズクに他の食材を混合後、粉末や液体に加工する。
２  モズクに各種の食材を混合後、酵母菌や乳酸菌等を加えて発酵させる。
３  醗酵したモズクを粒剤やカプセル等に加工して各種容器に充填する。【００２３】
【図１】
0003199478.tif 000003
【図２】
0003199478.tif 000004
【図３】
0003199478.tif 000005
(57)【要約】      （修正有）【課題】一般家庭の風呂場を整理し、場所を広く使うための洗面器用掛け金具を提供する。【解決手段】洗面器を引っ掛けるための本体２と、取付部３、からなり本体２と、取付部３は、１本の線材を曲げて作られ本体２は、洗面器を引っ掛けられるように下向きの左右対称のフック状のフック部２１、２２と、それを連結する連結部からなり、取付部は、押し込めるように、とがった形状であるようにしたことを特徴とする。【選択図】図２
0003199437.tif 000002
【実用新案登録請求の範囲】
【請求項１】
洗面器を引っ掛けるための本体2と取付部3からなり本体2と、取付部3は、1本の線材を曲げて作られ本体2は、洗面器を引っ掛けられるように下向きに丸めた左右対称のフック状のフック部21、22と、それを連結する23、からなり、取付部は、押し込めるように、とがった形状であるようにしたことを特徴とする洗面器用掛け金具。
【考案の詳細な説明】
【技術分野】
【０００１】
本件は、一般家庭の風呂場を整理し、場所を広く使うための洗面器用掛け金具である。
【背景技術】
【０００２】
風呂場の洗面器は、普段洗い場の床面に置くか、側壁に立てかけていた。
【考案の概要】
【考案が解決しようとする課題】
【０００３】
一般家庭の風呂の洗い場は狭いところが多い。狭い洗い場には、体を洗うための洗剤（シャンプー、リンス、石けん等）や洗面器、椅子、風呂場を掃除するための洗剤や治具が置いてあり狭苦しかった。
【課題を解決するための手段】
【０００４】
洗面器を引っ掛けるための本体2と、取付部3、からなり本体2と、取付部3は、1本の線材を曲げて作られ本体2は、洗面器を引っ掛けられるように下向きに丸めた左右対称のフック状のフック部21、22と、それを連結する23、からなり取付部は、押し込めるように、とがった形状であるようにしたことを特徴とする洗面器用掛け金具。洗面器の渕には、ツバがついている、そのツバの形状を利用して引っかける鉤型の、引掛け金具、を作った。
【考案の効果】
【０００５】
風呂の洗い場の整理整頓ができ、洗い場を広く使える。
【考案を実施するための形態】
【０００６】
本考案の洗面器用掛け金具の構成を図１に示す。
本考案の洗面器用掛け金具は、洗面器を引っ掛けるための本体2と、取付部3や取付板5、からなる。本体2、と取付部3は、1本の線材を曲げて、洗面器を引っ掛けるように下向きに丸めた2つのフック部21、22と、それらの先端部どうしを直結する連結部23からなる。取付部3は差し込めるように、とがった形状をしている。
本考案の洗面器用掛け金具の側面図を図２に示す。フック部は、取付面に対して約30℃の角度の傾斜になっている。
本考案の洗面器用掛け金具の使用例を、図3に示す。本考案の洗面器用掛け金具1を、取付板5に、押し込んで洗面器をフック部にぶら下げる。
【図面の簡単な説明】
【０００７】
【図１】本考案の洗面器用掛け金具の構成
【図２】本考案の洗面器用掛け金具の側面図
【図３】本考案の洗面器用掛け金具の使用例
【符号の説明】
【０００８】
１  洗面器用掛け金具
２  本体
２１  フック部
２２  フック部
２３  連結部
３  取付部
４  洗面器
５  取付板
【図１】
0003199437.tif 000003
【図２】
0003199437.tif 000004
【図３】
0003199437.tif 000005
(57)【要約】      （修正有）【課題】扱い易くデザイン性にも優れた、名札あるいは値札、値札掛けとなるテープを提供する。【解決手段】所定幅、所定長さの布の一方端にホックの雄１１を他方端に雌１２を固着し、雌雄のホックを締着することによって環状となし、ホックを外すことによって帯状となすタグ取り付けテープ１０である。これにより、ホックを掛けるだけで、値札や名札を取り付けることができ、また、ホックを外すだけで、値札や名札を外すことができる。【選択図】図１
0003199440.tif 000002
【実用新案登録請求の範囲】
【請求項１】
所定幅、所定長さの布の一方端にホックの雄を他方端に雌を固着し、前記雌雄のホックを掛けることによって環状となし、ホックを外すことによって帯状となすテープ。
【考案の詳細な説明】
【技術分野】
【０００１】
本考案はテープに関し、特に、被服の名札や名札になるテープに関するものである。
【背景技術】
【０００２】
幼稚園、保育園等で、幼児の衣服に名札を付けるときには、衣服に安全ピンで取り付けるか、あるいは、アイロンテープで、衣服に直接接着することがなされている。
【０００３】
また、あらゆる商品の店頭販売には、値札がつけられる。このとき、一端に膨らみ（あるいは広がり）を持つ雄型を、他端に、前記膨らみ（広がり）を受ける雌型を持つ合成樹脂性の糸よりなり、前記雄型に雌型を差し込むと容易に外れない輪状になるタグ取り付け糸が用いられている。すなわち、前記糸に値札をとおし、衣類のボタン孔あるいは襟の縫い付けタグと襟の間を通して輪を作ることによって値札を吊るすことができるわけである。
【考案の概要】
【考案が解決しようとする課題】
【０００４】
上記名札を縫い付ける作業、あるいは紐で吊り下げる作業は面倒であり、特に紐で吊り下げることは、洗濯の度に外し、乾いたあとで再び付ける作業が必要となる。また、上記値札の取り付けに用いられる糸は、販売前にボタン孔等を利用して取り付け、販売時に店員が、あるいは購入してからユーザが鋏等で切り取る必要がある。
【課題を解決するための手段】
【０００５】
本考案は、所定幅、所定長さの布の一方端にホックの雄を他方端に雌を固着し、前記雌雄のホックを締着することによって環状となし、ホックを外すことによって帯状となすタグ取り付けテープである。
【考案の効果】
【０００６】
上記構成により、ホックを掛けるだけで、値札や名札を取り付けることができ、また、ホックを外すだけで、値札や名札を外すことができる。また、直接名前を書くことによって名札としても利用できる。
【図面の簡単な説明】
【０００７】
【図１】本考案の斜視図。
【図２】本考案の使用例を示す斜視図。
【考案を実施するための形態】
【０００８】
図１は、本考案の展開斜視図を示すものである。所定幅、所定長さの布１０の一端にホックの雄型１１が取り付けられ、他端に雌型１２が取り付けられている。この雄型１１と雌型１２を嵌め合わせることによって、輪状のテープが形成されることになる。
【０００９】
図２は、本考案を衣服２０の襟の縫い付けタグ２１に取り付け、名札として利用した状態を示すものである。名札として利用するときは、直接当該テープに名前を記入することでも足りるし、また、別の糸や紐を用いて別体の名札を当該テープに掛けるようにしてもよい。上記襟の縫い付けタグ２１に代えて洗濯表示に用いられる洗濯タグを利用してもよい。
【００１０】
子供用の名札として利用するときは、当該テープに子供向けのキャラクタを印刷、刺繍等によって表すと、デザイン性に優れ、商品価値を向上させることができる。
【産業上の利用可能性】
【００１１】
上記したように本考案は、ホックを掛けるだけで名札となったり、あるいは名札や値札を掛けることができるので、取り扱いに便利となり、衣料業界での利用価値が高い。
【符号の説明】
【００１２】
１０・・テープ
１１・・雄型
１２・・雌型
２０・・衣服
２１・・襟タグ
【図１】
0003199440.tif 000003
【図２】
0003199440.tif 000004